(57)【要約】サイズの合わない雄型継手部材を雌型継手部材に連結可能にする管継手のサイズ調整用アタッチメントを提供する。このアタッチメントは、一端に筒状の雄型部（４０）及び他端に上記サイズの合わない雄型継手部材（１２）を受け入れる雌型部（４２）を有する筒状本体（４４）と、該筒状本体の外周面上を摺動可能とされたスリーブ（５０）とを有する。該雌型部を該サイズの合わない雄型継手部材に嵌合し、スリーブ（５０）を施錠位置として施錠子（４６）を該サイズの合わない雄型継手部材に係合して固定し、該雄型部を該雌型管継手部材に嵌合連結する。
2020129793.tif 000002
【特許請求の範囲】
【請求項１】
相互に嵌合されて連結される雄型継手部材と雌型継手部材からなる管継手において、該雄型継手部材と異なるサイズの雄型継手部材を該雌型継手部材に連結するのを可能とする管継手のサイズ調整用アタッチメントであって、  一端に管継手の雌型継手部材に受け入れられるように形状づけられた筒状の雄型部及び他端に該管継手の該雌型継手部材に嵌合される雄型継手部材とは異なるサイズの雄型継手部材を受け入れるように形状づけられた筒状の雌型部を有する筒状本体であって、該筒状本体の半径方向に貫通するように設けられ施錠子を半径方向で変位可能に保持する施錠子用孔を有する筒状本体と、  該筒状本体の外周面上を該筒状部材の長手軸線方向で摺動可能とされたスリーブであって、該施錠子に半径方向外側から係合して該施錠子が、該雌型部内に挿入された該異なるサイズの雄型継手部材に係合し、該異なるサイズの雄型継手部材が該雌型部内から外側に変位するのを阻止する施錠位置と、該施錠位置よりも該一端側に変位されて該施錠子が半径方向外側に変位可能とし、該異なるサイズの雄型継手部材が該雌型部内から外に変位できるようにする解錠位置との間で変位可能とされているスリーブと、  を有する管継手のサイズ調整用アタッチメント。
【請求項２】
該施錠位置にある該スリーブは、該雄型部に連結された該雌型継手部材に係合して該解錠位置に変位するのを阻止されるようにした請求項１に記載の管継手のサイズ調整用アタッチメント。
【請求項３】
該筒状本体に取り付けられて該雄型部の半径方向外側位置を同心状に該長手軸線方向に延び当該管継手のサイズ調整用アタッチメントの使用者による把持が可能とされた筒状把持部を有する請求項１又は２に記載の管継手のサイズ調整用アタッチメント。
【請求項４】
該筒状把持部が半径方向で貫通し該長手軸線方向で延びるスリットを有し、該スリーブが、該スリーブから該スリットの半径方向内側まで延びる係止用部材を有し、  該係止用部材は、該雄型部に連結された該雌型継手部材に係合して該スリーブが該解錠位置に変位するのを阻止するようにした請求項３に記載の管継手のサイズ調整用アタッチメント。
【請求項５】
該筒状本体が、該施錠子用孔よりも該一端側で半径方向に貫通するように設けられスリーブ保持子を半径方向で変位可能に保持するスリーブ保持子用孔を有しており、該スリーブが該解錠位置にあるときで該異なるサイズの雄型継手部材が該筒状の雌型部内に受け入れられていないときは、該スリーブ保持子が該筒状本体の外側に部分的に突出するようにされて該スリーブが該施錠位置に変位するのを阻止されるようにされている請求項１乃至４の何れか一項に記載の管継手のサイズ調整用アタッチメント。
【請求項６】
該筒状本体内に設けられ該スリーブ保持子に半径方向内側から係合して、該スリーブ保持子を該筒状本体の外側に部分的に突出するようにして該解錠位置にある該スリーブが該施錠位置に変位するのを阻止する変位阻止位置と、該変位阻止位置から該一端方向に押し込まれて該スリーブ保持子が半径方向内側に変位して該スリーブが該施錠位置に変位するのを許容する変位許容位置との間で変位可能とされたスリーブ保持子係合部材を有する請求項５に記載の管継手のサイズ調整用アタッチメント。
【請求項７】
該スリーブ保持子係合部材を該変位許容位置から該変位阻止位置に向けて付勢する第１の付勢部材と、該スリーブを該解錠位置から該施錠位置に向けて付勢する第２の付勢部材とを有するようにする請求項６に記載の管継手のサイズ調整用アタッチメント。   
【発明の詳細な説明】
【技術分野】
【０００１】  本発明は、相互に嵌合されて連結される雄型継手部材と雌型継手部材からなる管継手において、該雄型継手部材と異なるサイズの雄型継手部材を該雌型継手部材に連結するのを可能とする管継手のサイズ調整用アタッチメントに関する。
【背景技術】
【０００２】  例えばある流体の供給配管システムにおいては、流体供給管の（流体吐出）ノズルを、流体供給を受ける側の流体受け入れ口となるレセプタクルに嵌合連結した状態で流体供給を行うようにした供給配管システムがある。この場合のノズル及びレセプタクルは上述した形式の管継手を構成するが、この場合、相互に嵌合される継手部材としてのノズル及びレセプタクルは、相互嵌合に適したサイズ（径寸法）を有し、流体供給を受ける側のレセプタクルが供給側のノズルのサイズに合わない場合には流体供給ができないようになっている。しかし、流体供給を受ける側が供給側のノズルには適合しない異なるサイズのレセプタクルを備える場合もあり、そのような場合でも流体供給ができるようにする方法としては、正規サイズのノズルを備えた流体供給管の他に上記異なるサイズのレセプタクルに適合するサイズのノズルを備えた流体供給管を用意することが考えられる。しかし、そのような方法では供給配管システムの設備費、維持費が高くなってしまう。【０００３】  別の方法としては、上記リセプタクルの異なるサイズに合わせるためのサイズ調整用アッタチメント（アダプター）を用いる方法がある。例えば、特許文献１はそのようなアタッチメントを開示している。しかし、このアタッチメントはそれを構成するためのエレメントを、供給側ノズルに組み付けしてねじ式に固定するものであり、取付け取外しを迅速に行うことはできない。
【先行技術文献】
【特許文献】
【０００４】
【特許文献１】実開平６−１４６７３号公報
【発明の概要】
【発明が解決しようとする課題】
【０００５】  本発明は、以上に述べた点を考慮し、異なるサイズのレセプタクルなどの管継手部材をノズルなどの他方の管継手部材に連結する場合に迅速にできるようにするための管継手のサイズ調整用アタッチメントを提供することを目的としている。
【課題を解決するための手段】
【０００６】  すなわち、本発明では  相互に嵌合されて連結される雄型継手部材と雌型継手部材からなる管継手において、該雄型継手部材と異なるサイズの雄型継手部材を該雌型継手部材に連結するのを可能とする管継手のサイズ調整用アタッチメントであって、  一端に管継手の雌型継手部材に受け入れられるように形状づけられた筒状の雄型部及び他端に該管継手の該雌型継手部材に嵌合される雄型継手部材とは異なるサイズの雄型継手部材を受け入れるように形状づけられた筒状の雌型部を有する筒状本体であって、該筒状本体の半径方向に貫通するように設けられ施錠子を半径方向で変位可能に保持する施錠子用孔を有する筒状本体と、  該筒状本体の外周面上を該筒状本体の長手軸線方向で摺動可能とされたスリーブであって、該施錠子に半径方向外側から係合して該施錠子が、該雌型部内に挿入された該異なるサイズの雄型継手部材に係合し、該異なるサイズの雄型継手部材が該雌型部内から外側に変位するのを阻止する施錠位置と、該施錠位置よりも該一端側に変位されて該施錠子が半径方向外側に変位可能とし、該異なるサイズの雄型継手部材が該雌型部内から外に変位できるようにする解錠位置との間で変位可能とされているスリーブと、  を有する管継手のサイズ調整用アタッチメントを提供する。【０００７】  このサイズ調整用アタッチメントにおいては、該施錠位置にある該スリーブは、該雄型部に連結された該雌型継手部材に係合して該解錠位置に変位するのを阻止されるようにすることができる。該雌型継手部材を該雌型部から外さない状態においては、該雌型部に嵌合されている該異なるサイズの雄型継手部材が外れないようにするものである。【０００８】  またこのサイズ調整用アタッチメンにおいては、該筒状本体に取り付けられて該筒状の雄型部の半径方向外側位置を同芯状に該長手軸線方向に延び当該管継手のサイズ調整用アタッチメントの使用者による把持が可能とされた筒状把持部を有するようにすることができる。該スリーブを操作するのに該筒状把持部をもって行えるようにしてスリーブ操作をしやすくするものである。【０００９】  この場合、該筒状把持部が半径方向で貫通し該長手軸線方向で延びるスリットを有し、該スリーブが、該スリーブから該スリットの半径方向内側まで延びる係止用部材を有し、該係止用部材は、該雌型部に連結された該雌型継手部材に係合して該スリーブが該解錠位置に変位するのを阻止するようにすることができる。【００１０】  以上に述べたサイズ調整用アタッチメントにおいては、該筒状本体が、該施錠子用孔よりも該筒状本体の該一端側で半径方向に貫通するように設けられスリーブ保持子を半径方向で変位可能に保持するスリーブ保持子用孔を有するようにし、該スリーブが該解錠位置にあるときで該異なるサイズの雄型継手部材が該筒状の雌型部内に嵌合されていないときは、該スリーブ保持子が該筒状本体の外側に部分的に突出するようにされた該スリーブ保持子によって該スリーブが該施錠位置に変位するのを阻止されるようにすることができる。【００１１】  具体的には、該筒状本体内に設けられ該スリーブ保持子に半径方向内側から係合して、該スリーブ保持子を該筒状本体の外側に部分的に突出するようにして該解錠位���にある該スリーブが該施錠位置に変位するのを阻止する変位阻止位置と、該変位阻止位置から該一端方向に押し込まれて該スリーブ保持子が半径方向内側に変位して該スリーブが該施錠位置に変位するのを許容する変位許容位置との間で変位可能とされたスリーブ保持子係合部材を有するようにすることができる。【００１２】  この場合、該スリーブ保持子係合部材を該変位許容位置から該変位阻止位置に向けて付勢する第１の付勢部材と、該スリーブを該解錠位置から該施錠位置に向けて付勢する第２の付勢部材とを有するようにすることができる。このようにすることにより、異なるサイズの雄型継手部材が該雌型部内に挿入嵌合されたときに、該スリーブ保持係合部材が該変位阻止位置から該辺許容位置に変位されて、該スリーブが第２の付勢部材によって該解錠位置から該施錠位置に自動的に変位されるようにすることができる。【００１３】  以下、本発明に係る管継手のサイズ調整用アタッチメントの実施形態を添付図面に基づき説明する。
【図面の簡単な説明】
【００１４】
【図１】図１は本発明に係るサイズ調整用アタッチメント、該サイズ調整用アタッチメントを使用する管継手の雌型継手部材及び該サイズ調整用アタッチメントを用いて該雌型継手部材に連結される該管継手の雄型継手部材とは異なるサイズの雄型継手部材を、それらが連結される前の位置関係で示した図であり、該サイズ調整用アタッチメント、該雌型継手部材及び該異なるサイズの雄型継手部材が縦断面図で示されている。
【図２】図２は該異なるサイズの雄型継手部材を該雌型継手部材に連結する場合に最初に行われるステップとして該サイズ調整用アタッチメントを該異なるサイズの雄型継手部材に嵌合連結した状態を示す縦断面図である。
【図３】図３は図２の状態とした該異なるサイズの雄型継手部材を該雌型継手部材に連結した状態を示す縦断面図であり、該管継手の管路内にまだ流体が流されておらず流体圧がかけられていない状態を示す。
【図４】図４は図３と同様の縦断面図であるが、該管路内に流体が流されて流体圧がかけられている状態を示す。
【発明を実施するための形態】
【００１５】  図１では、（図示しない）流体受け入れ側の所定のサイズのレセプタクル（雄型継手部材)を受け入れて連結される流体供給源側のノズル（雌型継手部材：図においてはその先端のみを示す）１０に対し、該所定のサイズとは異なるサイズのレセプタクル（雄型継手部材：図においてはその先端のみを示す）１２を連結するためのサイズ調整用アタッチメント１４が示されている。
【００１６】  ノズル１０は、流体通路２０を有するノズル本体２２と、バルブ２４と、ノズル本体２２に固定され該バルブ２４を該流体通路２０の長手軸線方向で変位可能に支持する筒状のバルブ支持部材２６と、コレットチャック部材２８と、該バルブ支持部材２６の外周面に固定されて前方（図面の右方）に延び該コレットチャック部材２８を図１に示す受入位置と図３及び図４に示す締付位置との間で変位可能に支持する筒状のチャック支持部材３０と、該コレットチャック部材２８が受入位置になるのを許容するチャック解放位置と、該コレットチャック部材２８を締付位置に抑え込むチャック抑込位置との間を該流体通路２０の長手軸線方向で変位可能なチャック抑えスリーブ３２と、該ノズル本体２２に設けられた該流体通路２０から半径方向に延びる貫通孔３３内に変位可能に取り付けられ、該流体通路２０内の流体圧が増大すると半径方向外側に動いてチャック抑えスリーブ３２と係合して該チャック抑込位置に施錠する該スリーブ施錠位置（図４）となるスリーブ施錠部材３４と、該バルブ２４に固定されて該コレットチャック部材２８に半径方向内側から係合してコレットチャック部材２８を受入位置（図１）とする前進位置と、該バルブ２４とともに後方（図面の左方）に変位されて該コレットチャック部材２８が締付位置となるのを許容する後退位置との間で変位可能なチャック操作部材３６とを有している。
【００１７】  ノズル１０内に、上述の図示しない所定のサイズのレセプタクル、又は該サイズ調整用アタッチメント１４の後述する雄型部４０が挿入されると、該バルブ２４及び該チャック操作部材３６が図１の位置から後方へ押し込まれ、該コレットチャック部材２８が締付位置となって挿入されたレセプタクル又は該雄型部４０と係合すると共に、当該バルブ２４の半径方向通路２４ａが開放されて該バルブ２４の軸線方向通路２４ｂを通して流体が流れるようにされ、当該ノズル１０の流体通路２０が開放されるようになっている（図３、図４)。
【００１８】  該レセプタクル１２は、該ノズル１０との結合に適合するサイズとは異なるより大きなサイズのものとなっており、サイズ調整用アタッチメント１４は、この異なるサイズのレセプタクル１２を該ノズル１０に連結できるようにするものである。すなわち、該サイズ調整用アタッチメント１４は一端（図における左端）に該ノズル１０に受け入れられるように形状づけられた筒状の雄型部４０及び他端(図における右端)に上記異なるサイズのレセプタクル１２を受け入れるように形状づけられた筒状の雌型部４２を有する筒状本体４４であって、該筒状本体４４の半径方向に貫通するように設けられ施錠子４６を半径方向で変位可能に保持する施錠子用孔４８を有する筒状本体４４と、該筒状本体４４の外周面上を該筒状部材４４の長手軸線方向で摺動可能とされたスリーブ５０であって、該施錠子４６に半径方向外側から係合して該施錠子４６が、該雌型部４２内に挿入された該異なるサイズのレセプタクル１２に係合し、該レセプタクル１２が該雌型部４２内から外側に変位するのを阻止する施錠位置（図２〜図４）と、該施錠位置よりも該一端側（図における左端側）に変位されて該施錠子４６が半径方向外側に変位可能とし、該レセプタクル１２が該雌型部４２内から外に変位できるようにする解錠位置（図１）との間で変位可能とされているスリーブ５０とを有する。図において、４０ａは締付位置とされた該コレットチャック部材２８を受け入れる係止凹部、１２ａは施錠位置となった該スリーブ５０によって半径方向内側に押し付けられた該施錠子４６を受け入れる係止凹部を示す。
【００１９】  サイズ調整用アタッチメント１４は更に、該筒状本体４４に取り付けられて該雄型部４０の半径方向外側位置を同心状に長手軸線方向に延び当該サイズ調整用アタッチメント１４の使用者によって把持可能とされた筒状把持部５２を有している。該筒状把持部５２は該筒状把持部５２に半径方向で貫通するように設けられ長手軸線方向で延びるスリット５３を有し、該スリーブ５０には半径方向内側に延びて該スリット５３を挿通し略雄型部４０の外表面に至る細長い係止用部材５６が設けられており、係止用部材５６はスリーブ５０が施錠位置と解錠位置との間で変位するときに該スリット５３に沿って変位するようになっている。図示の例では、該スリーブ５０が図２〜図４に示す施錠位置にあるときに、該ノズル１０の方向に面する筒状本体４４の半径方向面４４ｂに当接するようにされている。
【００２０】  該筒状本体４４には更に、該施錠子用孔４８よりも該筒状本体４４の上記一端側（図における左端側）で半径方向に貫通するように設けられスリーブ保持子５４を半径方向で変位可能に保持するスリーブ保持子用孔５７を有している。該スリーブ５０が該解錠位置にあるときで該レセプタクル１２を該雌型部４２内に受け入れていないときは（図１）、該スリーブ保持子５４が該筒状本体４４の外側に部分的に突出するようにされて該スリーブ５０の内周面に設けられた係止凹部５０ａに係合し該スリーブ５０が該施錠位置（図２〜図４）に変位するのを阻止するようにされている。図示の例では、該筒状本体４４内にスリーブ保持子係合部材５８が設けられており、該スリーブ保持子５４に半径方向内側から係合して該スリーブ保持子５４を該筒状本体４４の外側に部分的に突出するようにして該解錠位置にある該スリーブ５０が該施錠位置に変位するのを阻止する変位阻止位置と、該変位阻止位置から（図で見て左側に）押し込まれて該スリーブ保持子５４が半径方向内側に変位して該スリーブ５０が該施錠位置（図２〜図４）に変位するのを許容する変位許容位置との間で変位可能とされている。該スリーブ保持子係合部材５８は該筒状本体４４に設けられている軸線方向流体通路４４ａと連通している軸線方向流体通路５８ａを有している。
【００２１】  図示の例では、該サイズ調整用アタッチメント１４には、該スリーブ５０を図１に示す解錠位置から図２〜図４に示す施錠位置に向けて付勢する付勢部材（コイルバネ）６０、及びスリーブ保持子係合部材５８を図１に示す変位阻止位置から図２〜図４に示す変位許容位置に向けて付勢する付勢部材（コイルバネ）６２が設けられており、また、該ノズル１０には、該チャック抑えスリーブ３２を図１に示すチャック解放位置から図３〜図４に示すチャック抑込位置に付勢する付勢部材（コイルバネ）６４及び該チャック操作部材３６を図３〜図４に示す後退位置から図１に示す前進位置に向けて付勢する付勢部材（コイルバネ）６６が設けられている。
【００２２】  該サイズ調整用アタッチメント１４を用いて該異なるサイズのレセプタクル１２を該ノズル１０に連結する場合には、当該サイズ調整用アタッチメント１４の使用者が先ず該筒状把持部５２を把持して該筒状本体４４の該雌型部４２を該レセプタクル１２に嵌合する（図２)。これにより、該スリーブ保持子係合部材５８が図２〜図４に示す変位許容位置に押し込まれ該スリーブ５０が図２〜図４に示す施錠位置となり、該レセプタクル１２と該サイズ調整用アタッチメント１４との連結がなされる（図２）。次に該サイズ調整用アタッチメント１４の該雄型部４０を該ノズル１０に嵌合する。これにより、該ノズル１０の該バルブ２４は後退位置に押し込まれ、該チャック操作部材３６が図３〜図４に示す後退位置となり、該チャック抑えスリーブ３２が図３〜図４に示すチャック抑込位置となり、該コレットチャック部材２８が締付位置となり該サイズ調整用アタッチメント１４と該ノズル１０とが連結される。この状態において、図示しない流体供給源側のバルブを開放すると、流体が該ノズル１０、該サイズ調整用アタッチメント１４を介して該レセプタクル１２側に流れる。これにより該スリーブ施錠部材３４は流体圧により図４に示すスリーブ施錠位置とされ、該チャック抑えスリーブ３２と係合して該チャック抑えスリーブ３２が図で見て左方に動きチャック解放位置となるのを阻止する（図４)。また、この状態においては、該チャック支持部材３０の先端部（図で見て右端部）３０ａが該サイズ調整用アタッチメント１４の該スリーブ５０から延びる係止用部材５６に係合しており、流体供給源側からの流体が流されている状態においては、該チャック抑えスリーブ３２が図４に示すチャック抑込位置に保持され、従って、該スリーブ５０が図１に示す解錠位置に変位するのが阻止される。
【００２３】  連結されている該ノズル１０から該レセプタクル１２を外す場合には、先ず、流体供給源側の図示しないバルブを閉じて流体の供給を停止する。これにより該スリーブ施錠部材３４は半径方向内側に変位可能となるので該チャック抑えスリーブ３２を図４のチャック抑込位置から図１に示すチャック解放位置に動かして該ノズル１０を該サイズ調整用アタッチメント１４から外す。次に該サイズ調整用アタッチメント１４の該スリーブ５０を図１に示す解錠位置とし、該サイズ調整用アタッチメント１４を該レセプタクル１２から外す。
【００２４】  本発明に係る管継手のサイズ調整用アタッチメント１４の一実施形態は以上の通りであるが、本発明はこれに限定されるものではない。例えば、スリーブ保持子５４はサイズ調整用アタッチメント１４をレセプタクル１２に嵌合することにともないスリーブ５０が自動的に施錠位置となり施錠子４６を施錠位置としてサイズ調整用アタッチメント１４をレセプタクル１２に自動的に連結するためのものであるが、スリーブ５０の操作は手動で行うことも可能であり、従って、スリーブ保持子５４は必須のものではない。また筒状把持部５２はサイズ調整用アタッチメント１４の操作を容易にするためのものであり、これも必須のものではない。本発明は請求項１に規定の内容を基本的構成とするものであり種々の変形が可能である。
【符号の説明】
【００２５】ノズル（雌型継手部材）１０異なるサイズのレセプタクル (雄型継手部材)１２サイズ調整用アタッチメント１４流体通路２０ノズル本体２２バルブ２４半径方向通路２４ａ軸線方向通路２４ｂバルブ支持部材２６コレットチャック部材２８チャック支持部材３０チャック抑えスリーブ３２スリーブ施錠部材３４チャック操作部材３６雄型部４０雌型部４２筒状本体４４軸線方向流体通路４４ａ半径方向面４４ｂ施錠子４６施錠子用孔４８スリーブ５０係止凹部５０ａ筒状把持部５２スリット５３スリーブ保持子５４係止用部材５６スリーブ保持子用孔５７スリーブ保持子係合部材５８軸線方向流体通路５８ａ付勢部材（コイルバネ）６０、６２，６４、６６
【図１】
2020129793.tif 000003
【図２】
2020129793.tif 000004
【図３】
2020129793.tif 000005
【図４】
2020129793.tif 000006
【手続補正書】
【提出日】令和3年5月25日(2021.5.25)
【手続補正１】
【補正対象書類名】特許請求の範囲
【補正対象項目名】請求項１
【補正方法】変更
【補正の内容】
【請求項１】
相互に嵌合されて連結される雄型継手部材と雌型継手部材からなる管継手において、該雄型継手部材と異なるサイズの雄型継手部材を該雌型継手部材に連結するのを可能とする管継手のサイズ調整用アタッチメントであって、
一端に管継手の雌型継手部材に受け入れられるように形状づけられた筒状の雄型部及び他端に該管継手の該雌型継手部材に嵌合される雄型継手部材とは異なるサイズの雄型継手部材を受け入れるように形状づけられた筒状の雌型部を有する筒状本体であって、該筒状本体の半径方向に貫通するように設けられ施錠子を半径方向で変位可能に保持する施錠子用孔を有する筒状本体と、
該筒状本体の外周面上を該筒状本体の長手軸線方向で摺動可能とされたスリーブであって、該施錠子に半径方向外側から係合して該施錠子が、該雌型部内に挿入された該異なるサイズの雄型継手部材に係合し、該異なるサイズの雄型継手部材が該雌型部内から外側に変位するのを阻止する施錠位置と、該施錠位置よりも該一端側に変位されて該施錠子が半径方向外側に変位可能とし、該異なるサイズの雄型継手部材が該雌型部内から外に変位できるようにする解錠位置との間で変位可能とされているスリーブと、
を有する管継手のサイズ調整用アタッチメント。
【手続補正２】
【補正対象書類名】明細書
【補正対象項目名】０００８
【補正方法】変更
【補正の内容】
【０００８】
またこのサイズ調整用アタッチメンにおいては、該筒状本体に取り付けられて該筒状の雄型部の半径方向外側位置を同心状に該長手軸線方向に延び当該管継手のサイズ調整用アタッチメントの使用者による把持が可能とされた筒状把持部を有するようにすることができる。該スリーブを操作するのに該筒状把持部をもって行えるようにしてスリーブ操作をしやすくするものである。
【手続補正３】
【補正対象書類名】明細書
【補正対象項目名】０００９
【補正方法】変更
【補正の内容】
【０００９】
この場合、該筒状把持部が半径方向で貫通し該長手軸線方向で延びるスリットを有し、該スリーブが、該スリーブから該スリットの半径方向内側まで延びる係止用部材を有し、該係止用部材は、該雌型部に連結された該雄型継手部材に係合して該スリーブが該解錠位置に変位するのを阻止するようにすることができる。
【手続補正４】
【補正対象書類名】明細書
【補正対象項目名】００１８
【補正方法】変更
【補正の内容】
【００１８】
該レセプタクル１２は、該ノズル１０との結合に適合するサイズとは異なるより大きなサイズのものとなっており、サイズ調整用アタッチメント１４は、この異なるサイズのレセプタクル１２を該ノズル１０に連結できるようにするものである。すなわち、該サイズ調整用アタッチメント１４は一端（図における左端）に該ノズル１０に受け入れられるように形状づけられた筒状の雄型部４０及び他端(図における右端)に上記異なるサイズのレセプタクル１２を受け入れるように形状づけられた筒状の雌型部４２を有する筒状本体４４であって、該筒状本体４４の半径方向に貫通するように設けられ施錠子４６を半径方向で変位可能に保持する施錠子用孔４８を有する筒状本体４４と、該筒状本体４４の外周面上を該筒状本体４４の長手軸線方向で摺動可能とされたスリーブ５０であって、該施錠子４６に半径方向外側から係合して該施錠子４６が、該雌型部４２内に挿入された該異なるサイズのレセプタクル１２に係合し、該レセプタクル１２が該雌型部４２内から外側に変位するのを阻止する施錠位置（図２〜図４）と、該施錠位置よりも該一端側（図における左端側）に変位されて該施錠子４６が半径方向外側に変位可能とし、該レセプタクル１２が該雌型部４２内から外に変位できるようにする解錠位置（図１）との間で変位可能とされているスリーブ５０とを有する。図において、４０ａは締付位置とされた該コレットチャック部材２８を受け入れる係止凹部、１２ａは施錠位置となった該スリーブ５０によって半径方向内側に押し付けられた該施錠子４６を受け入れる係止凹部を示す。
【国際調査報告】
2020129793.tif 000007
2020129793.tif 000008
2020129793.tif 000009
2020129793.tif 000010